(57)【要約】【課題】  マイクロホンの配置は傾けずに支持棒を任意の向きに傾けることができ、設置場所の変更や、方向調整が容易にできるマイクロホン保持装置を提供する。【解決手段】  マイクロホン保持装置１は、マイクロホンＭC、ＭR、ＭL、ＭSR、ＭSLが設置される基体２と、基体２を揺動可能に支持する支点（ユニバーサルジョイント９）を有し、当該基体２を下から支持する支持部材６とを備え、支点が、マイクロホンＭC、ＭR、ＭL、ＭSR、ＭSLが取り付けられた基体２の重心位置より上の位置に設けられていることを特徴とする。【選択図】      図１
2006352649.tif 000002
【特許請求の範囲】
【請求項１】
複数のマイクロホンを保持するマイクロホン保持装置であって、
前記マイクロホンが設置される基体と、
前記基体を揺動可能に支持する支点を有し、当該基体を下から支持する支持部材とを備え、
前記支点が、前記マイクロホンが取り付けられた前記基体の重心位置より上の位置に設けられていることを特徴とするマイクロホン保持装置。
【請求項２】
前記基体が、前記マイクロホンを保持するアームと、前記アームを保持する保持部とを備え、
前記保持部が、前記支持部材に連接されることを特徴とする請求項１に記載のマイクロホン保持装置。
【請求項３】
前記アームの少なくとも１つに、当該アームの任意の位置に固定される重りを備えることを特徴とする請求項２に記載のマイクロホン保持装置。
【請求項４】
前記支持部材が、操作者によって把持される把持部と、前記基体に連接される連接部と、前記把持部と前記連接部を繋ぎ、当該把持部の回転を当該連接部の中心を通る鉛直方向の軸を中心とした回転に変換して伝達するユニバーサルジョイントとを有し、当該ユニバーサルジョイントを前記支点として前記基体を支持することを特徴とする請求項１から請求項３のいずれか１項に記載のマイクロホン保持装置。
【発明の詳細な説明】
【技術分野】
【０００１】
本発明は、複数のマイクロホンを保持するマイクロホン保持装置に関する。
【背景技術】
【０００２】
従来、臨場感のある音響効果を再現するために、例えば、５．１チャンネル（以下、５．１ｃｈという）サラウンドでは５つのマイクロホンによって音声収録される。このマイクロホンは、音声収録する際には所定の向きに配置され、収録された音声は所定の位置において所定の向きに配置された、マイクロホンと同数のスピーカによって再生されて、音場が再現される。そのため、音声収録を行う際には、予め複数のマイクロホンスタンドを所定の配置に設置するか、あるいは、複数のマイクロホンを所定の配置に予め固定したマイクロホンホルダを設置して、収録を行っていた。このマイクロホンホルダは、予め収録現場に設置する据え置き型のものと、操作者によって移動させられる携帯型のものとがある（例えば、非特許文献１及び非特許文献２参照）。
【０００３】
ここで、図３を参照して、従来のマイクロホンホルダについて説明する。図３は、従来のマイクロホンホルダの構造の例を模式的に示す模式図、（ａ）は、据え置き型のマイクロホンホルダの構造を模式的に示す模式図、（ｂ）は、移動型のマイクロホンホルダの構造を模式的に示す模式図である。
【０００４】
図３（ａ）に示すように、据え置き型のマイクロホンホルダＨ１は、支持棒Ｂ１と、アームＡ１、Ａ１と、当該アームＡ１、Ａ１を平行に固定する固定部Ｆと、アームＡ１、Ａ１の先端及び中央に固定されたマイクロホンＭ１、Ｍ１、…と、支持棒Ｂ１を支えるスタンドＳとを備える。このマイクロホンホルダＨ１は、予め操作者によって所望の場所に据え置かれる。
【０００５】
図３（ｂ）に示すように、移動型のマイクロホンホルダＨ２は、支持棒Ｂ２と、同一平面上に放射状に配置され当該支持棒に固定されたアームＡ２、Ａ２、…と、すべてのアームＡ２、Ａ２、…を保持する保持部Ｊ２と、各々のアームＡ２、Ａ２、…の先端に固定されたマイクロホンＭ２、Ｍ２、…とを備える。このマイクロホンホルダＨ２は、操作者によって支持棒Ｂ２を把持され、音声収録する場所に持ち運ばれる。
【非特許文献１】［online］、［２００５年３月９日検索］、インターネット＜http://www.schoeps.de/E-2004/oct.html＞
【非特許文献２】［online］、［２００５年３月９日検索］、インターネット＜http://www.schoeps.de/E-2004/irt-cross.html＞
【発明の開示】
【発明が解決しようとする課題】
【０００６】
しかしながら、据え置き型のマイクロホンホルダは、ロケなどの屋外における音声収録の際には、設置条件が悪いため、準備に多大な時間を要する。また、収録現場では、音響環境が刻一刻と推移するため、マイクロホンホルダの設置場所の変更や、方向調整が迅速にできないことで、千載一遇の収録の機会を逃してしまうことがあった。
【０００７】
また、移動型のマイクロホンホルダでは、支持棒にアームが固定されているため、支持棒を傾けると、アームに固定されているマイクロホンも傾いてしまう。そして、正しくサラウンド用の音声を収録するためには、すべてのマイクロホンが水平の同一平面上に配置されていなければならないのに、傾斜した平面上に配置されてしまう。更に、支持棒を傾けずに音声収録すると、音声収録を行う中心部付近の撮影を同時に行う場合には、支持棒が撮影する映像に入ってしまうという問題があった。
【０００８】
本発明は、前記従来技術の問題を解決するために成されたもので、マイクロホンの配置は傾けずに支持棒を任意の向きに傾けることができ、設置場所の変更や、方向調整が容易にできるマイクロホン保持装置を提供することを目的とする。
【課題を解決するための手段】
【０００９】
前記課題を解決するため、請求項１に記載のマイクロホン保持装置は、複数のマイクロホンを保持するマイクロホン保持装置であって、前記マイクロホンが設置される基体と、前記基体を揺動可能に支持する支点を有し、当該基体を下から支持する支持部材とを備え、前記支点が、前記マイクロホンが取り付けられた前記基体の重心位置より上の位置に設けられている構成とした。
【００１０】
かかる構成によれば、マイクロホン保持装置は、マイクロホンが取り付けられた基体の重心が支点よりも低い位置にあるため、基体は、支点から鉛直方向に下の位置に重心が来るように一定の姿勢を維持する。これによって、マイクロホン保持装置は、支持部材の傾斜角度に関わらず、取り付けたマイクロホンの傾きを変えず常に同じ配置にすることができる。
【００１１】
また、請求項２に記載のマイクロホン保持装置は、請求項１に記載のマイクロホン保持装置において、前記基体が、前記マイクロホンを保持するアームと、前記アームを保持する保持部とを備え、前記保持部が、前記支持部材に連接される構成とした。
【００１２】
かかる構成によれば、アームと保持部とが支持部材によって揺動可能に支持され、アームは一定の姿勢を維持する。これによって、マイクロホン保持装置は、支持部材の傾斜角度に関わらず、アームに取り付けたマイクロホンの傾きを変えず常に同じ配置にすることができる。
【００１３】
更に、請求項３に記載のマイクロホン保持装置は、請求項２に記載のマイクロホン保持装置において、前記アームの少なくとも１つに、当該アームの任意の位置に固定される重りを備える構成とした。これによって、マイクロホン保持装置は、アームに固定する重りの位置を調整することで、基体の傾きを調整でき、その基体の傾きを維持することができる。
【００１４】
また、請求項４に記載のマイクロホン保持装置は、請求項１から請求項３のいずれか１項に記載のマイクロホン保持装置において、前記支持部材が、操作者によって把持される把持部と、前記基体に連接される連接部と、前記把持部と前記連接部を繋ぎ、当該把持部の回転を当該連接部の中心を通る鉛直方向の軸を中心とした回転に変換して伝達するユニバーサルジョイントとを有し、当該ユニバーサルジョイントを前記支点として前記基体を支持する構成とした。
【００１５】
かかる構成によれば、マイクロホン保持装置は、把持部が当該把持部の軸を中心に回転すると、この回転がユニバーサルジョイントによって鉛直方向の軸を中心とした回転に変換されて、連接部に伝達される。これによって、マイクロホン保持装置は、操作者によって把持部を、軸を中心に回転させることで、基体を水平方向に回転させることができる。
【発明の効果】
【００１６】
本発明に係るマイクロホン保持装置では、以下のような優れた効果を奏する。請求項１に記載の発明によれば、操作者が支持部材を把持し、当該支持部材を傾斜させた場合においても、マイクロホンが取り付けられた基体は傾かずに常に同じ姿勢を維持することができる。そのため、マイクロホンを設置する位置の調整を迅速かつ容易に行うことができるマイクロホン保持装置となる。
【００１７】
また、支持部材を傾斜させた状態で音声収録ができるため、音声収録と同時に同じ場所の映像を撮影する場合においても、支持部材を傾斜させて撮影される領域に入らないように設置することが可能になる。更に、例えば、川面や、人間や動物が移動している場所のような足場を組むことが困難な場所においても、収録する場所の近くで操作者が支持部材を傾斜させて把持し、基体を収録場所の上部に設置することで、足場を組まずに音声収録することができる。そして、収録の対象が移動する場合には、最初に設定されたマイクロホンの傾きや配置を維持したまま、マイクロホン保持装置を追随させて収録することができる。
【００１８】
請求項２に記載の発明によれば、マイクロホンを所望の配置になるようにアームに予め取り付けておくことで、支持部材を傾斜させても、マイクロホンの配置を傾かせずに保持することができる。
【００１９】
請求項３に記載の発明によれば、重さの異なるマイクロホンを設置しても基体を所望の傾きに調整でき、この傾きを維持することができる。そのため、様々な種類のマイクロホンを取り付けることができるマイクロホン保持装置となる。
【００２０】
請求項４に記載の発明によれば、操作者が基体に触れることなく、操作者が把持部を、軸を中心に回転させることで、この回転に応じて基体を回転させることができるため、操作者の手に届かない位置に基体がある場合においても、マイクロホンが設置された基体の向きの調整を迅速かつ容易に行うことができるマイクロホン保持装置となる。
【発明を実施するための最良の形態】
【００２１】
以下、本発明の実施の形態について図面を参照して説明する。
［マイクロホン保持装置の構成］
図１及び図２を参照して、本発明の実施の形態であるマイクロホン保持装置１の構成について説明する。図１は、本発明におけるマイクロホン保持装置の斜視図である。図２（ａ）は、マイクロホン保持装置の構造を模式的に示した平面図、（ｂ）は、（ａ）においてＸで示す矢印の方向から見たマイクロホン保持装置の構造を模式的に示した側面図である。なお、図２（ｂ）では、アーム３R、３L、３SL及びマイクロホンＭR、ＭL、ＭSLの図示を省略し、かつ、基体２から支持部材６を取り外した状態を示している。
【００２２】
マイクロホン保持装置１は、サラウンド用の音声を収録するためのマイクロホンを保持するものである。ここでは、マイクロホン保持装置１に、５．１ｃｈサラウンド用の音声を収録するためのマイクロホンＭC、ＭR、ＭL、ＭSR、ＭSLを、ＩＴＵ-Ｒ勧告（BS-775-1 Multi-channel Stereophonic Sound System with and without Accompanying Picture）に規定された配置で取り付けた場合について説明する。マイクロホン保持装置１は、基体２と、支持部材６と、重りＰａ、Ｐｂ、Ｐｃと、センタマークＤとを備える。なお、基体２には、マイクロホンＭC、ＭR、ＭL、ＭSR、ＭSLが取り付けられている。このマイクロホンＭC、ＭR、ＭL、ＭSR、ＭSLには、音声を電気信号に変換する様々なマイクロホンを適用することができる。
【００２３】
基体２は、マイクロホンＭC、ＭR、ＭL、ＭSR、ＭSLを所定の配置で保持するものである。ここでは、基体２は、ＩＴＵ−Ｒ勧告に規定された配置でマイクロホンＭC、ＭR、ＭL、ＭSR、ＭSLを保持することとした。基体２は、５本のアーム３C、３R、３L、３SR、３SLと、保持部４と、マイクロホン固定部５、５、…とを備える。
【００２４】
アーム３C、３R、３L、３SR、３SLは、後記するマイクロホン固定部５を介して各々マイクロホンＭC、ＭR、ＭL、ＭSR、ＭSLを保持するものである。このアーム３C、３R、３L、３SR、３SLは、例えば、円柱状や、円筒状や、角柱状等の形状のロッドから構成することができる。
【００２５】
ここで、アーム３Cには、端部にマイクロホン固定部５を介してマイクロホンＭCが取り付けられるとともに、もう一方の端部にセンタマークＤが取り付けられ、マイクロホン固定部５とセンタマークＤとの間において保持部４によって接合されて保持されている。そして、アーム３Cには、保持部４とマイクロホン固定部５との間には後記する重りＰａが環装され、センタマークＤと保持部４との間には重りＰｂが環装されている。
【００２６】
また、アーム３R、３L、３SR、３SLには、端部にマイクロホン固定部５を介して各々マイクロホンＭR、ＭL、ＭSR、ＭSLが取り付けられるとともに、もう一方の端部は、保持部４に接合されて保持されている。更に、アーム３SLには、マイクロホン固定部５と保持部４との間に重りＰｃが環装されている。これらのアーム３C、３R、３L、３SR、３SLは、マイクロホン固定部５が設置された端部がセンタマークＤから等距離になる長さに設定されている。なお、センタマークＤは、アーム３Cの端部に取り付けられ、同一の円周上に配置されたマイクロホンＭC、ＭR、ＭL、ＭSR、ＭSLの中心の位置を示すものである。
【００２７】
保持部４は、アーム３C、３R、３L、３SR、３SLを接合し保持するものである。ここでは、保持部４には、ＩＴＵ−Ｒ勧告に規定された所定の方向に後記するマイクロホン固定部５が配置されるように、かつ、マイクロホンＭC、ＭR、ＭL、ＭSR、ＭSLを固定した際に当該基体２の重心が、後記する支持部材６のユニバーサルジョイント９の位置より下になるようにアーム３C、３R、３L、３SR、３SLが接合される。
【００２８】
このとき、図２（ａ）に示すように、保持部４には、ＩＴＵ−Ｒ勧告の規定に基づいて４本のアーム３R、３L、３SR、３SLが平面図において保持部４を中心に均等の間隔になるように、つまり、上から投影した場合に、隣り合うアーム３R、３L、３SR、３SLが互いに直交するように、放射状にアーム３R、３L、３SR、３SLの端部が接合される。更に、保持部４には、アーム３Cがアーム３R、３L、３SR、３SLと保持部４で交差するように、アーム３R、３Lの間及びアーム３SR、３SLの間に当該アーム３Cが接合される。
【００２９】
更に、図２（ｂ）に示すように、各々のアーム３C、３R、３L、３SR、３SLは、先端が斜め下方を向くように傾斜させて保持部４に接合されている。この各々のアーム３C、３R、３L、３SR、３SLの水平方向に対する傾斜角度を大きくするほど、あるいは、各々のアーム３C、３R、３L、３SR、３SLの長さを長くするほど、マイクロホンＭC、ＭR、ＭL、ＭSR、ＭSLを固定した際の当該基体２の重心の位置は低くなる。そのため、アーム３C、３R、３L、３SR、３SLは、マイクロホンＭC、ＭR、ＭL、ＭSR、ＭSLの重量を考慮して、重心が後記する支持部材６のユニバーサルジョイント９の位置より下になるように、アーム３C、３R、３L、３SR、３SLの傾斜角度や長さを設定して保持部４に接合される。
【００３０】
更に、ここでは、ＩＴＵ−Ｒ勧告の規定に基づいて、後記するセンタマークＤから等距離の位置に設けられる後記するマイクロホン固定部５が、水平な同一平面上に配置されるように、保持部４からマイクロホン固定部５までの距離が短いアーム３C、３R、３Lの傾斜角度を、この距離が長いアーム３SR、３SLの傾斜角度より大きく設定することとした。なお、ここでは、保持部４に後記する支持部材６が連接され、保持部４の下部には、支持部材６の連接部８に形成された凸部と嵌合する凹部を有することとした。
【００３１】
マイクロホン固定部５は、アーム３C、３R、３L、３SR、３SLにマイクロホンＭC、ＭR、ＭL、ＭSR、ＭSLを固定するものである。マイクロホン固定部５、５、…は、各々のアーム３C、３R、３L、３SR、３SLの先端に設けられている。ここでは、マイクロホン固定部５は係止ネジ５ａと、リング部５ｂと、ホルダ部５ｃとを備える。
【００３２】
係止ネジ５ａは、後記するリング部５ｂの下部に形成されたネジ孔（図示せず）に螺合してリング部５ｂを貫通し、当該マイクロホン固定部５をアーム３C、３R、３L、３SR、３SLに係止するものである。この係止ネジ５ａによって、マイクロホン固定部５をアーム３C、３R、３L、３SR、３SLの任意の位置に係止することができる。
【００３３】
リング部５ｂは、アーム３C、３R、３L、３SR、３SLに環装され、アーム３C、３R、３L、３SR、３SLに沿ってスライドする。リング部５ｂには、ホルダ部５ｃが接合されるとともに、係止ネジ５ａによってアーム３C、３R、３L、３SR、３SLの任意の位置に係止される。ホルダ部５ｃは、マイクロホンＭC、ＭR、ＭL、ＭSR、ＭSLを固定するものである。
【００３４】
これによってマイクロホン固定部５は、アーム３C、３R、３L、３SR、３SLの任意の位置にマイクロホンＭC、ＭR、ＭL、ＭSR、ＭSLを固定することができ、マイクロホンＭC、ＭR、ＭL、ＭSR、ＭSLをＩＴＵ−Ｒ勧告に規定される配置にも、それ以外の配置にもすることができる。なお、ここでは、図２（ａ）に示すように、ＩＴＵ−Ｒ勧告の規定に基づいて、マイクロホン固定部５は、アーム３C、３R、３L、３SR、３SL上における、後記するセンタマークＤから等距離の位置に係止することとした。
【００３５】
なお、本発明のマイクロホン保持装置１の基体２に保持されるマイクロホンの数や、基体２の形状は、前記したものに限定されない。基体２は、２つ以上のマイクロホンを保持するものであればよく、また、形状は、例えば、２本以上のアーム（図示せず）や、環状のアーム（図示せず）を備えることとしてもよいし、円錐殻状や平板状の基体（図示せず）としてもよい。
【００３６】
支持部材６は、基体２を揺動可能に下から支持するものである。支持部材６は、把持部７と、連接部８と、ユニバーサルジョイント９とを備える。
【００３７】
把持部７は、操作者によって把持され、操作者が基体２を所望の場所に移動する操作用の棒（ブーム）である。この把持部７は、例えば、円柱状や、円筒状や、角柱状等の形状のロッドから構成することができる。ここでは、把持部７は、その長さを伸縮するために、円筒状のロッドと、その内径より小さい外径を有する円柱状のロッドとから構成されることとした。そして、円筒状のロッドの内部に円柱状のロッドを挿入し、把持部７が所望の長さとなるように円柱状のロッドを円筒状のロッドから引き出して、図示しない固定手段によってこれらのロッドを互いに固定することで、把持部７を所望の長さにすることができる。これによって、操作者の位置から収録場所までの距離が遠い場合には、把持部７を伸ばすことで、離れた場所での音声収録も可能になる。
【００３８】
連接部８は、基体２の下方に当該支持部材６を連接するものである。ここでは、連接部８は基体２の保持部４の下面に連接されることとした。連接部８は、上面に凸部を有し、保持部４の下部に形成された凹部と嵌合することで基体２に連接される。なお、ここでは、連接部８の凸部と保持部４の凹部とが嵌合することで基体２と支持部材６とが連接されることとしたが、連接する方法はこの方法に限定されない。例えば、連接部８の上面と保持部４の下面とが接着されることとしてもよいし、図示しないネジ等の固定手段によって連接部８と保持部４とが連接されることとしてもよい。また、基体２が保持部４を備えず、連接部８が、一体化されたアーム（図示せず）に直接連接されることとしてもよい。
【００３９】
ユニバーサルジョイント９は、基体２を揺動可能に支持するとともに、把持部７の中心を通る回転軸７ａを中心とした回転を、鉛直方向の回転軸８ａを中心とした回転に変換して伝達するものである。そのため、把持部７は、このユニバーサルジョイント９を支点として揺動自在（水平方向の任意の軸に対して回動自在）に基体２を支持できる。そして、前記したように、マイクロホンＭC、ＭR、ＭL、ＭSR、ＭSLを取り付けた基体２の重心は、このユニバーサルジョイント９より下にあるため、ヤジロベエの原理と同様に、基体２はユニバーサルジョイント９の位置から鉛直方向に下の方向に重心が来るような姿勢を維持する。
【００４０】
更に、回転軸７ａを中心とした把持部７の回転が、ユニバーサルジョイント９によって回転軸８ａを中心とした回転に変換されて連接部８に伝達される。そのため、操作者が把持部７を、回転軸７ａを中心に回転させると、連接部８は回転軸８ａを中心に回転する。ここで、連接部８の回転軸８ａは、ヤジロベエの原理によって常に鉛直方向に維持されるため、把持部７の回転によって、基体２は水平方向に回転する。
【００４１】
これによって、基体２は、把持部７の傾きに関わらず、常に同じ姿勢を維持し、後記する重りＰａ、Ｐｂ、Ｐｃの位置を調節して、予めマイクロホンＭC、ＭR、ＭL、ＭSR、ＭSLを水平の同一平面上に配置させておくことで、収録中に把持部７を傾けてもマイクロホン保持装置１は、マイクロホンＭC、ＭR、ＭL、ＭSR、ＭSLを常に水平の同一平面上に配置することができる。
【００４２】
更に、サラウンドの音声収録では、複数のマイクロホンＭC、ＭR、ＭL、ＭSR、ＭSLによって、各々のマイクロホンＭC、ＭR、ＭL、ＭSR、ＭSLの向いている方向（前、右、左、右後ろ、左後ろ）からの音声を収録するため、どの方向を前（正面）として収録するかによって収録される音声が異なる。そのため、操作者が意図する音響効果を再現するためにはマイクロホンＭC、ＭR、ＭL、ＭSR、ＭSLの配置だけでなく、基体２の向きも正しく設置する必要があるが、マイクロホン保持装置１は、把持部７の回転に応じて基体２を水平方向に回転させることができるため、操作者は基体２に触れることなく、把持部７を回転させることで基体２の向きを調整することができる。
【００４３】
なお、本発明のマイクロホン保持装置１の支持部材６は、揺動自在に基体２を支持できればよく、例えば、ユニバーサルジョイント９の代わりにボールジョイント（図示せず）を有することとしてもよい。このとき、支持部材６は、このボールジョイントを支点として基体２を揺動自在に支持するため、マイクロホンＭC、ＭR、ＭL、ＭSR、ＭSLを常に水平の同一平面上に配置させることができる。
【００４４】
重りＰａ、Ｐｂ、Ｐｃは、ユニバーサルジョイント９を支点として揺動自在に支持される基体２の傾きを調整するために用いるものである。ここでは、基体２のアーム３Cに、保持部４を挟んで重りＰａ、Ｐｂを、アーム３SLに重りＰｃを環装させ、これらの重りＰａ、Ｐｂ、Ｐｃをアーム３C、３SLに沿ってスライドさせて基体２の傾きを調整し、重りＰａ、Ｐｂ、Ｐｃの下部の係止ネジＰａ１、Ｐｂ１、Ｐｃ１（図示せず）によってアーム３C、３SLに固定することとした。なお、取り付けるマイクロホンＭC、ＭR、ＭL、ＭSR、ＭSLの重量と配置とが予め決められており、これらのマイクロホンＭC、ＭR、ＭL、ＭSR、ＭSLを設置した際に、すべてのマイクロホンＭC、ＭR、ＭL、ＭSR、ＭSLが水平に配置されるように基体２が設計されている場合には、本発明のマイクロホン保持装置１は、重りＰａ、Ｐｂ、Ｐｃを備えないこととしてもよい。
【００４５】
［マイクロホン保持装置の動作］
次に、図１を参照して、マイクロホン保持装置１の動作について説明する。まず、アーム３C、３R、３L、３SR、３SLのマイクロホン固定部５、５、…にマイクロホンＭC、ＭR、ＭL、ＭSR、ＭSLを取り付け、支持部材６によって基体２を支持した状態で、重りＰａ、Ｐｂ、Ｐｃをスライドさせて基体２に傾きを調整し、マイクロホンＭC、ＭR、ＭL、ＭSR、ＭSLを水平の同一平面上に配置する。
【００４６】
すると、マイクロホンＭC、ＭR、ＭL、ＭSR、ＭSLを取り付けた基体２の重心は、ユニバーサルジョイント９の位置から鉛直方向に下の位置に来るため、マイクロホン保持装置１は、常にマイクロホンＭC、ＭR、ＭL、ＭSR、ＭSLを水平の同一平面上に維持する。
【００４７】
また、操作者によって、支持部材６の把持部７が回転軸７ａ（図２参照）を中心に回転させられると、この回転は回転軸８ａ（図２参照）を中心とした水平方向の回転に変換されて連接部８に伝達し、この連接部８に連接された基体２を水平方向に回転させる。そのため、マイクロホン保持装置１は、把持部７の回転によって、基体２の向きを調整することができる。
【図面の簡単な説明】
【００４８】
【図１】本発明におけるマイクロホン保持装置の斜視図である。
【図２】（ａ）は、マイクロホン保持装置の構造を模式的に示した平面図、（ｂ）は、（ａ）においてＸで示す矢印の方向から見たマイクロホン保持装置の構造を模式的に示した側面図である。
【図３】従来のマイクロホンホルダの構造の例を模式的に示す模式図、（ａ）は、据え置き型のマイクロホンホルダの構造を模式的に示す模式図、（ｂ）は、移動型のマイクロホンホルダの構造を模式的に示す模式図である。
【符号の説明】
【００４９】
１      マイクロホン保持装置
２      基体
３      支持部材
３C、３R、３L、３SL、３SR  アーム
４      保持部
７      把持部
８      連接部
８ａ    回転軸（軸）
９      ユニバーサルジョイント
ＭC、ＭR、ＭL、ＭSR、ＭSL  マイクロホン
【図１】
2006352649.tif 000003
【図２】
2006352649.tif 000004
【図３】
2006352649.tif 000005